(57)【要約】【課題】ホログラムの再生品質が良好な光情報記録装置および光情報記録方法を提供する。【解決手段】ホログラフィを利用してデジタル情報を光情報記録媒体に記録する光情報記録装置において、前記光情報記録媒体に情報を記録するための光ビームを射出する光源部と、前記光源部から射出された光ビームを用いて、前記光情報記録媒体から前記デジタル情報を再生する場合の前記光情報記録媒体に対する光ビームの入射角度とは異なる入射角度で入射させて前処理または後処理をする記録処理制御部と、を備えることを特徴とする光情報記録装置と、その光情報記録装置に用いられる光情報記録方法。【選択図】  図１
2015130215.tif 000002
【特許請求の範囲】
【請求項１】
ホログラフィを利用してデジタル情報を光情報記録媒体に記録する光情報記録装置において、
前記光情報記録媒体に情報を記録するための光ビームを射出する光源部と、
前記光源部から射出された光ビームを用いて、前記光情報記録媒体から前記デジタル情報を再生する場合の前記光情報記録媒体に対する光ビームの入射角度とは異なる入射角度で入射させて、前処理または後処理をする記録処理制御部と、
を備えることを特徴とする光情報記録装置。
【請求項２】
ホログラフィを利用してデジタル情報を光情報記録媒体に記録する光情報記録装置において、
前記光情報記録媒体に情報を記録するための参照光を射出する光源部と、
前記光源部から射出された参照光を用いて、前記光情報記録媒体に前記デジタル情報を記録する場合の前記光情報記録媒体に対する参照光の入射角度とは異なる入射角度で入射させて、前処理または後処理をする記録処理制御部と、
を備えることを特徴とする光情報記録装置。
【請求項３】
前記記録処理制御部は、
前記参照光を複数の入射角度で入射するよう制御すること
を特徴とする請求項２に記載の光情報記録装置。
【請求項４】
前記記録処理制御部は、
前記光情報記録媒体に前記デジタル情報を記録するときの参照光の波長と、前記前処理または後処理を行うときの参照光の波長と、を変えるように制御すること
を特徴とする請求項２に記載の光情報記録装置。
【請求項５】
前記記録処理制御部は、
前記光情報記録媒体に前記デジタル情報を記録するときの参照光の干渉性と、前記前処理または後処理を行うときの参照光の干渉性と、を変えるように制御すること
を特徴とする請求項２に記載の光情報記録装置。
【請求項６】
ホログラフィを利用してデジタル情報を光情報記録媒体に記録する光情報記録装置の光情報記録方法において、
前記光情報記録媒体に情報を記録するための光ビームを射出するステップと、
前記光源部から射出された光ビームを用いて、前記光情報記録媒体からデジタル情報を再生する場合の前記光情報記録媒体に対する光ビームの入射角度とは異なる入射角度で入射させて前処理または後処理をするステップと、
を備えることを特徴とする光情報記録方法。
【請求項７】
ホログラフィを利用してデジタル情報を光情報記録媒体に記録する光情報記録装置の光情報記録方法において、
前記光情報記録媒体に情報を記録するための参照光を射出するステップと、
前記射出された参照光を用いて、前記光情報記録媒体に前記デジタル情報を記録する場合の前記光情報記録媒体に対する参照光の入射角度とは異なる入射角度で入射させて、前処理または後処理をするステップと、
を備えることを特徴とする光情報記録方法。
【請求項８】
前記射出された参照光を用いて、前記光情報記録媒体に前記デジタル情報を記録する場合の前記光情報記録媒体に対する参照光の入射角度とは異なる入射角度で入射させて、前処理または後処理をするステップにおいて、
複数の入射角度で参照光を入射させるステップと、
を備えることを特徴とする請求項７に記載の光情報記録方法。
【請求項９】
前記射出された参照光を用いて、前記光情報記録媒体に前記デジタル情報を記録する場合の前記光情報記録媒体に対する参照光の入射角度とは異なる入射角度で入射させて、前処理または後処理をするステップにおいて、
前記光情報記録媒体に前記デジタル情報を記録するときの参照光の波長と、前記前処理または後処理を行うときの参照光の波長と、を変えるステップと、
を備えることを特徴とする請求項７に記載の光情報記録方法。
【請求項１０】
前記射出された参照光を用いて、前記光情報記録媒体に前記デジタル情報を記録する場合の前記光情報記録媒体に対する参照光の入射角度とは異なる入射角度で入射させて、前処理または後処理をするステップにおいて、
前記光情報記録媒体に前記デジタル情報を記録するときの参照光の干渉性と、前記前処理または後処理を行うときの参照光の干渉性と、を変えるステップと、
を備えることを特徴とする請求項７に記載の光情報記録方法。
【発明の詳細な説明】
【技術分野】
【０００１】
本発明は、ホログラフィを用いて、光情報記録媒体に情報を記録する、光情報記録装置、光情報記録方法に関する。
【背景技術】
【０００２】
現在、青紫色半導体レーザを用いた、Ｂｌｕ−ｒａｙ  Ｄｉｓｃ（ＴＭ）規格により、民生用においても５０ＧＢ程度の記録容量を持つ光ディスクの商品化が可能となってきた。今後は、光ディスクでも１００ＧＢ〜１ＴＢというＨＤＤ（Ｈａｒｄ  Ｄｉｓｋ  Ｄｒｉｖｅ）容量と同程度まで大容量化が望まれる。
【０００３】
しかしながら、このような超高密度を光ディスクで実現するためには、短波長化と対物レンズ高ＮＡ化による高密度化技術とは異なる新しい方式による高密度化技術が必要である。
【０００４】
次世代のストレージ技術に関する研究が行われる中、ホログラフィを利用してデジタル情報を記録するホログラム記録技術が注目を集めている。
【０００５】
ホログラム記録技術とは、空間光変調器により２次元的に変調されたページデータの情報を有する信号光を、記録媒体の内部で参照光と重ね合わせ、その時に生じる干渉縞パターンによって記録媒体内に屈折率変調を生じさせることで情報を記録媒体に記録する技術である。
【０００６】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。
【０００７】
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。
【０００８】
ホログラム記録技術として、例えば特開２００４−２７２２６８号公報（特許文献１）がある。本公報には、「ホログラムの隣接するスタック間で部分的空間的重なり合いによってホログラムが空間的に多重化される、多重化方法および装置が開示されている。
【０００９】
ホログラフィを利用してデジタル情報を記録する光情報記録再生装置においては、信号光と参照光を生成し記録媒体に照射するための光学系に加えて、プリキュアおよびポストキュアに用いるキュア用光ビームを生成し記録媒体に照射する光学系が別途必要となる。プリキュアとは、ホログラムを記録する際、予め所定の光ビームを照射する前工程であり、ポストキュアとは、所望の位置に情報を記録した後に、該所望の位置に追記不可能とするために光ビームを照射する後工程である。プリキュアおよびポストキュア時には、前述したキュア用に特化した光ビームを使用するのが一般的であるが、特開２００９−０７６１７１(特許文献２)には、装置の小型化を目的とし、参照光ビームをキュア用のビームとして代用する例の開示がある。
【先行技術文献】
【特許文献】
【００１０】
【特許文献１】特開２００４−２７２２６８号公報
【特許文献２】特開２００９−０７６１７１号公報
【発明の概要】
【発明が解決しようとする課題】
【００１１】
ところで、特許文献２に記載の参照光ビームをキュア用ビームとして代用するにあたり、発明者の実験により新たな課題が発覚した。以下、課題を述べる。参照光ビームは、信号光と干渉することで生成される干渉縞パターンをホログラムとして記録するために、干渉性が高い特性のビームである。前述の参照光ビームをプリキュア時に記録媒体に照射した際に、参照光ビームが記録媒体の裏面で反射する現象を観測した。本現象が発生すると、記録媒体への入射光と記録媒体裏面からの反射光が干渉し、本来生成すべきでない不要なホログラムが生成されることが明らかとなった。プリキュア時に生成された不要なホログラムは、キュア処理後に情報を記録したホログラムを再生するにあたり大きなノイズ源となるため、これが原因で再生品質が劣化することが課題となる。前述した課題を解決するための方法については開示されておらず、本課題は解決されていない。
【００１２】
本発明の目的は、干渉性の高いビームをキュア処理に適用するにあたり、発生する前述の課題を解決し、好適な光情報記録装置および光情報記録方法を提供することである。
【課題を解決するための手段】
【００１３】
上記課題は、例えば請求項の範囲に記載の発明により解決される。
【発明の効果】
【００１４】
本発明によれば、好適な光情報記録装置、光情報記録方法が提供可能となる。
【図面の簡単な説明】
【００１５】
【図１】干渉性の高いビームにてキュア処理を実施する方法概略図
【図２】光情報記録再生装置の実施例を表す概略図
【図３】光情報記録再生装置内のピックアップの実施例を表す概略図
【図４】光情報記録再生装置内のピックアップの実施例を表す概略図
【図５】干渉性の高いビームを光情報記録媒体に照射したときの課題概略図
【図６ａ】光情報記録再生装置に光情報記録媒体を挿入した後、記録または再生の準備が完了するまでの動作を表すフローチャート
【図６ｂ】光情報記録再生装置に光情報記録媒体を挿入した後、準備完了状態から光情報記録媒体１に情報を記録するまでの動作を表すフローチャート
【図６ｃ】光情報記録再生装置に光情報記録媒体を挿入した後、準備完了状態から光情報記録媒体１に記録した情報を再生するまでの動作を表すフローチャート
【図７ａ】ホログラムの角度選択性を表す概略図
【図７ｂ】ホログラムの角度選択性を表す概略図
【図８】光情報記録媒体の特性を表す概略図
【図９ａ】プリキュア用のビームを所定角度で一定エネルギ照射した場合のホログラムの角度選択性を表す概略図
【図９ｂ】プリキュア用のビームを複数角度に分割して照射した場合のホログラムの角度選択性を表す概略図
【図１０ａ】複数ブック記録時のプリキュアの様子を表す概略図
【図１０ｂ】複数ブック記録時のプリキュアの様子を表す概略図
【図１１】干渉性の高いビームでプリキュアする実施例を表すフローチャート
【図１２】干渉性の高いビームで複数角度プリキュアする実施例を表すフローチャート
【図１３】干渉性の高いビームの波長を変えてプリキュアする実施例を表すフローチャート
【図１４】干渉性の高いビームに高周波を印加してプリキュアする実施例を表すフローチャート
【図１５】参照光によるプリキュアを連続ブック記録に適用する実施例を表すフローチャート
【図１６】干渉性の高いビームでポストキュアする実施例を表すフローチャート
【発明を実施するための形態】
【００１６】
以下、本発明の実施例について図面を用いて説明する。
【実施例１】
【００１７】
本発明の実施形態を添付図面にしたがって説明する。図２はホログラフィを利用してデジタル情報を記録および／または再生する光情報記録媒体の記録再生装置を示すブロック図である。
【００１８】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。
【００１９】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。
【００２０】
ピックアップ１１は、参照光と信号光を光情報記録媒体１に照射してホログラフィを利用してデジタル情報を記録媒体に記録する役割を果たす。この際、記録する情報信号はコントローラ８９によって信号生成回路８６を介してピックアップ１１内の空間光変調器に送られ、信号光は空間光変調器によって変調される。ピックアップ１１に含まれる光源３０１は、参照光やキュア用ビームの照射角度を制御するための、ビーム角度制御部９２により、光情報記録媒体１に照射する照射角度を制御することができる。ピックアップ１１は、光ビームの波長を制御するビーム波長制御部９３と光ビームに高周波成分を重畳することを制御する高周波重畳部９４を内包する。
【００２１】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。
【００２２】
光情報記録媒体１に照射する参照光と信号光の照射時間は、ピックアップ１１内のシャッタの開閉時間をコントローラ８９によってシャッタ制御回路８７を介して制御することで調整できる。
【００２３】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。
【００２４】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
【００２５】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。
【００２６】
また、ピックアップ１１、そして、ディスクキュア光学系１３は、光情報記録媒体１の半径方向に位置をスライドできる機構が設けられており、アクセス制御回路８１を介して位置制御がおこなわれる。
【００２７】
ところで、ホログラフィの角度多重の原理を利用した記録技術は、参照光角度のずれに対する許容誤差が極めて小さくなる傾向がある。
【００２８】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。
【００２９】
また、ピックアップ１１、キュア光学系１３、ディスク回転角度検出用光学系１４は、いくつかの光学系構成または全ての光学系構成をひとつに纏めて簡素化しても構わない。
【００３０】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。
【００３１】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。
【００３２】
空間光変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。
【００３３】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由してガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、本例ではガルバノミラーを例に挙げたが、入射角度を変更する素子であればガルバノミラーに代えて、別のミラーを適用してもかまわない。又、参照光の波面を変換する素子を用いても構わない。
【００３４】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。
【００３５】
以降、同じ領域に参照光角度を変えて記録されたホログラムにおいて、１つ１つの参照光角度に対応したホログラムをページと呼び、同領域に角度多重されたページの集合をブックと呼ぶことにする。
【００３６】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。
【００３７】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。
【００３８】
図６は、光情報記録再生装置１０における記録、再生の動作フローを示したものである。ここでは、特にホログラフィを利用した記録再生に関するフローを説明する。
【００３９】
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。
【００４０】
図６（ａ）に示すように媒体を挿入すると（６０１）、光情報記録再生装置１０は、例えば挿入された媒体がホログラフィを利用してデジタル情報を記録または再生する媒体であるかどうかディスク判別を行う（６０２）。
【００４１】
ディスク判別の結果、ホログラフィを利用してデジタル情報を記録または再生する光情報記録媒体であると判断されると、光情報記録再生装置１０は光情報記録媒体に設けられたコントロールデータを読み出し（６０３）、例えば光情報記録媒体に関する情報や、例えば記録や再生時における各種設定条件に関する情報を取得する。
【００４２】
コントロールデータの読み出し後は、コントロールデータに応じた各種調整やピックアップ１１に関わる学習処理（６０４）を行い、光情報記録再生装置１０は、記録または再生の準備が完了する（６０５）。
【００４３】
準備完了状態から情報を記録するまでの動作フローは図６（ｂ）に示すように、まず記録するデータを受信して（６１１）、該データに応じた情報をピックアップ１１内の空間光変調器３１２に送る。
【００４４】
その後、光情報記録媒体に高品質の情報を記録できるように、必要に応じて例えば光源３０１のパワー最適化やシャッタ３０３による露光時間の最適化等の各種記録用学習処理を事前に行う（６１２）。
【００４５】
その後、シーク動作（６１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００４６】
その後、キュア光学系１３から出射する光ビームを用いて所定の領域をプリキュアし（６１４）、ピックアップ１１から出射する参照光と信号光を用いてデータを記録する（６１５）。
【００４７】
データを記録した後は、キュア光学系１３から出射する光ビームを用いてポストキュアを行う（６１６）。必要に応じてデータをベリファイしても構わない。ここで、光情報記録媒体を反応活性化状態にする前処理であるプリキュア処理、ホログラムを光情報記憶媒体に記録したあとに媒体の状態を安定化させ記録情報を定着させるための後処理であるポストキュア処理をキュア処理と呼ぶ場合もある。
【００４８】
準備完了状態から記録された情報を再生するまでの動作フローは図６（ｃ）に示すように、まずシーク動作（６２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。
【００４９】
その後、ピックアップ１１から参照光を出射し、光情報記録媒体に記録された情報を読み出し（６２２）、再生データを送信する（６２３）。
【００５０】
ここで、発明者が考案した、干渉性の高いビームを用いてプリキュア処理を実施した場合においても、データの再生品質を劣化させない方法について詳細に説明する。
【００５１】
まずは、プリキュア処理について補足説明を行う。前述したようにプリキュアとは、光情報記録媒体内の所望の位置に情報を記録する際、所望位置に参照光と信号光を照射する前に予め所定の光ビームを照射する前工程である。図８は、ホログラフィの原理を用いて情報を記録するための光情報記録媒体の一例として、フォトポリマ素材で生成された光情報記録媒体の特性の一例を示したものである。横軸に光情報記録媒体に照射するエネルギを示し、縦軸にＭ/＃（エムナンバー）と言われる媒体特性を表す指標を示している。Ｍ／＃は光情報記録媒体にホログラムを生成するために必要な指標であり、Ｍ／＃が多いほど光情報記録媒体に記録できるホログラムの量または密度を増加させることができる。光情報記録媒体に所望の波長のエネルギを照射すると、参照光と信号光とが重なり合うことで生じる干渉縞が生成され、前記干渉縞は、光情報記録媒体のＭ／＃を消費することでホログラムとして光情報記録媒体に記録される。但し、光情報記録媒体がＭ／＃を消費してホログラムを記録できる状態になるには、反応活性化状態になるエネルギを光情報記録媒体に予め照射しておく必要がある。図８の８０１のエネルギが前記反応活性化状態になるエネルギとなる。そのため、光情報記録媒体に情報を記録する前には、情報記録のための参照光と信号光を照射する前に、所定の光ビームを照射することで予め光情報記録媒体にエネルギを注入し、所望の領域を反応活性化状態にさせる必要がある。この記録前処理をプリキュアと呼んでいる。プリキュアのエネルギは、８０１に示すエネルギ分だけ正確に注入することが理想であるが、装置の光学系により照射エネルギのムラができたり、媒体感度の温度依存性等で８０１のエネルギが増減したりと様々な事象が関与するため、照射エネルギを厳密に調整することは困難であるが、プリキュア後に確実に情報を記録するためには、プリキュア時に８０１以上のエネルギを照射しておけば良い。
【００５２】
次に、干渉性の高いビームを用いてプリキュア処理を実施した場合に起こる現象について、図５を用いて述べる。図５は、ホログラフィの原理でデータを記録する光情報記録媒体に、干渉性の高いビームを照射した時の様子を表している。５０１、５０２は光情報記録媒体５００を構成する要素を表しており、５０２は記録材料が注入されている層を示し、５０１は記録材料５０２を挟み込むカバー層を示しており、光情報記録媒体の断面からの図を示している。５０３は光情報記録媒体に照射した干渉性の高いビームを示す。ここでは一例として、５０１と５０２の屈折率は同一の屈折率とし、５０１の５０２の屈折率は空気中の屈折率とは異なる屈折率とする。
【００５３】
光情報記録媒体５００に、干渉性の高いビーム５０３が入射されると入射光は空気中と光情報記録媒体５００の屈折率の違いから、入射時に光の屈折が起こり角度を変えて光情報記録媒体５００中を直進する。その後ビーム５０３は光情報記録媒体５００を透過する光５０４と、カバー層５０１の裏面で反射する光５０５とに分かれる。ここでビーム５０３はビーム幅５０６があるため、カバー層５０１の裏面で反射した光の一部は入射した光の一部と重なる。この際、入射したビーム５０３は干渉性の高いビームであるため入射光と反射光とで重なった領域にて干渉し干渉縞を生成する。この際、照射したエネルギが図８の８０１のエネルギを超えた場合に、干渉縞は、ホログラム５０７として記録材料が注入されている５０２の層に記録される。
【００５４】
本現象は光情報記録媒体５００の反射抑止コーティング等の形成要素により程度は変わるが原理的に必ず発生し、この際生成されるホログラムが記録再生に影響を与えることが発明者の実験により明らかとなった。
【００５５】
前述のとおりに、プリキュアを目的として、干渉性の高いビームである参照光を用い光情報記録媒体５００に照射した場合に、エネルギを注入したことによるプリキュア効果とは別に、入射した参照光と光情報記録媒体５００の裏面で反射した参照光とで干渉し不要なホログラムを生成する。本領域はプリキュア後に、記録したい情報をホログラムとして記録するために使用する領域であり、データ記録の際には、参照光と信号光を同領域に照射し干渉させホログラムを生成する。
【００５６】
この際、プリキュア時の参照光照射角度と、情報記録時の参照光照射角度が同一角度であると、情報を記録したホログラムを再生しようとした時に、再生時における参照光角度を記録したホログラムに適した角度に調整すると、その参照光角度は不要なホログラムを再生するのに適した角度となるため、情報を記録したホログラムを再生すると共に、プリキュア時に生成された不要なホログラムも同時に再生される。この際、カメラ等のセンサで受光する再生像は、情報を記録したホログラムの再生像と、プリキュア時に生成された不要なホログラムの再生像との成分が重ね合った像となり、本来取得すべき情報の再生像にノイズ成分が印加された状態となり再生品質が劣化する。具体的には、再生像のエラーレートが高くなり、記録した情報を復元することが困難となる。このため、干渉性の高いビームをプリキュア時のビームとして利用するためには、前述した課題を解決しなければならない。
【００５７】
以降、本発明による干渉性の高いビームの入射光と反射光とで生成される不要なホログラムの影響を回避する、または軽減する方法について述べる。
【００５８】
前述した干渉性の高いビームの入射光と反射光とで生成された不要なホログラムは、再生時に角度選択性があることが発明者の実験により確認された。角度選択性とは、生成したホログラムを再生する際に、ある角度範囲でのみ再生できる特性であり、本特性を利用して前述した角度多重記録を実現している。この特性によればホログラムが記録された参照光の角度から一定角度ずれた角度で参照光を照射した場合に、所望のホログラムを再生することができない。逆に、同一領域であろうとも最初にホログラムを記録した参照光照射角度から、照射角度を一定角度ずらしてホログラムを記録すれば、最初に記録したホログラムとは別の角度に新たにホログラムを記録することが可能であり、最初に記録したホログラムと後で記録したホログラムを再生する場合には、参照光をそれぞれ記録した時の角度に調整すれば、所望のデータを別々に再生することができる。このように、角度選択性の特性があれば、一定角度を空けて情報を記録することにより、再生時には別角度で記録した情報のクロストークを受けることなく、良好な品質で情報を再生することが可能である。図７に例を示す。
【００５９】
図７ａは、角度選択性を示す図の一例であり、縦軸にホログラムの回折効率を横軸に参照光角度を示したものである。図７ａの示すところは、θRに記録したホログラムを再生するにあたり、参照光の角度を変化させた時のホログラムの再生像の見え方を示しており、間接的に回折効率が高い程、再生像が良い品質で再生できることを示している。また、θR付近から一定角度ずれた角度で参照光を照射してもθRに記録したホログラムは再生できないことも示している。
【００６０】
図７ｂに示すように、参照光角度θR1で記録した角度と参照光角度θR2で記録した角度が一定角度離れていれば、再生時にお互いのホログラムの影響を受けないで再生をすることが可能である。
【００６１】
前述した干渉性の高いビームの入射光と反射光により生成された不要なホログラムも、同様に角度選択性を有しており、再生時に入射光の角度から一定の角度をずらすことで、生成されたホログラムが再生されないことを確認している。
【００６２】
本特性を利用し、干渉性の高いビームにてプリキュアを実施し、情報を記録する方法について以下に述べる。
【００６３】
図１は、光情報記録媒体１００に、情報を記録する時の様子を表している。ここでは一例として、記録すべき情報が変調されている信号光が対物レンズ１０２から収束光で光情報記録媒体１００に入射し、参照光は平行光で光情報記録媒体１００に入射する例を示す。図示しないが、参照光は入射光前段に図３に示したミラーに対応する部位が存在し、角度を変えて光情報記録媒体１００にビームを照射することが可能な構成である。
【００６４】
実線で囲まれた参照光１０３と、収束された信号光１０１で、光情報記録媒体１００内で干渉し、情報をホログラム１０４として記録する例を想定する。
【００６５】
ホログラム１０４を記録する前に、予めプリキュア処理が必要となり、本例では干渉性の高いビームである参照光１０３を利用してプリキュアを実施する。参照光１０３の入射光と反射光による不要なホログラムが、情報を記録するホログラムに対し再生時に影響が出ないよう、まずは、参照光前段にあるミラーの角度を、情報を記録するホログラム時に照射する参照光１０３の入射角度とは別の角度に設定する。本実施例では、点線で囲まれた１０５の入射角度で光情報記録媒体１００に入射するようにガルバノミラー３１９を設定する。本角度は、情報を記録するホログラムの角度選択性と、参照光によるプリキュアで生成される不要なホログラムの角度選択性を考慮し、一定の角度、すなわち再生時における角度選択性特性から十分に回折効率が低くなる角度、離れた角度とする。プリキュアのための照射角度を設定後、光情報記録媒体１００にプリキュアに必要なエネルギ分、参照光を照射する。次に、ガルバノミラー３１９の角度を、情報を記録する角度に設定し、参照光を１０３の入射角度で光情報記録媒体１００に照射する。また、このとき信号光１０１も光情報記録媒体１００に照射し、参照光１０３と信号光１０１とを干渉させ、光情報記録媒体１００に情報をホログラム１０４として記録する。その後、記録後に実施するポストキュア処理を実施することで情報はホログラム１０４として光情報記録媒体１００に定着する。  以上の記録シーケンスの一例を図１１にフローチャートとして示す。図６の記録シーケンスのシークの後に、本発明ではキュア角度設定処理（１１０１）を追加する。本処理で、データ記録（６１５）にて記録する角度から一定の角度離れた位置にプリキュアの効果を与えるビームが照射されるよう、プリキュア時の照射角度を設定する。設定には前述のように、アクチュエータ３２０を制御してガルバノミラー３１９を動かし、ビーム角度を変更する。その後、照射角度が変更された状態で参照光をプリキュアに必要なエネルギ分照射するキュア処理（１１０３）を実施し、データ記録（６１５）の前に、ガルバノミラー３１９の角度をデータ記録時の角度にするよう、アクチュエータ３２０を制御しビーム角度を変更する記録角度設定処理（１１０２）を実施し、データ記録（６１５）を実施するシーケンスとなる。
【００６６】
記録した情報の再生時には、情報を記録したホログラム１０４を再生できる角度にガルバノミラー３１９の角度を設定し、参照光を１０３の角度でホログラム１０４に向けて照射すれば、ホログラム１０４からの回折光を再生像として、光検出器３２５で検出することができる。このとき、たとえプリキュアするときに、不要なホログラムが生成されていたとしても、角度選択性の関係上ホログラム１０４の再生品質には影響を与えない。
【００６７】
プリキュア処理におけるキュア角度設定処理（１１０１）は、前述のように情報を記録するときの参照光の入射角度から一定角度離れた角度であれば効果は得られるが、光情報記録媒体に対しての入射角度を垂直に近づけることで参照光のエネルギ密度が向上し、狭い範囲を高効率でプリキュアすることができる。これは、プリキュアの時間を短くする場合には効果的である。一方で、プリキュアする範囲を広くしたい場合においては、光情報記録媒体に対しての参照光の入射角度を水平に近づければ良い。
【００６８】
以上のように、プリキュア処理をするための干渉性の高いビームの一例として、参照光を適用する例を述べてきたが、本例は一例でありプリキュア処理をするための干渉性の高いビームは必ずしも参照光である必要はない。たとえば、プリキュア処理をするための干渉性の高いビームとして、信号光を適用し同様の効果を出すことも可能である。
【００６９】
信号光でプリキュアをする場合は、一例として、光源３０１からのビームがすべて信号光３０６になるように光学素子３０４で偏光制御され、ビームエキスパンダ３０８によって光ビーム径が拡大された後、位相マスク３０９、リレーレンズ３１０、ＰＢＳプリズム３１１を透過して空間光変調器３１２に入射する。前記例は光学素子３０４にて、信号光のみ光情報記録媒体１に光を照射したが、参照光の光路中にシャッタ等を配置し、信号光のみ光情報記録媒体１に照射する状態にしてもかまわない。
【００７０】
このとき、好ましくは空間光変調器３１２では情報を付加することは行わない。空間光変調器３１２に入射した信号光は、ＰＢＳプリズム３１１を反射し、リレーレンズ３１３ならびに空間フィルタ３１４を伝播する。その後、信号光は対物レンズ３１５によって光情報記録媒体１に入射してプリキュアする。
【００７１】
プリキュアにおける参照光照射角度と、記録するときの参照光照射角度とが同一角度になった場合、プリキュアしたときに生成された不要なホログラムと、記録するときに生成されるホログラムとが記録され、記録したホログラムを再生するときに、不要なホログラムが発生する照射角度で参照光を照射するため記録したホログラムと、不要なホログラムと、が同時に再生されて、記録したホログラムが正しく再生されない。そこで、前述の方法では、プリキュアするときの参照光照射角度を、記録するときの参照光照射角度と別の角度にすることで回避した。信号光をプリキュアに使用する場合は、参照光でプリキュアを実施した場合と同様に、信号光のみ記録位置に照射する。この際、照射した信号光とディスク裏面から反射される反射光とで不要なホログラムが生成される。信号光でプリキュアした後、参照光と信号光とを照射し、参照光と信号光との干渉によってホログラムが生成され記録されるが、記録したホログラムを再生する際には、参照光を照射して再生をするため、プリキュアで生成された信号光の反射による不要なホログラムは、再生するときの参照光の照射角度とは異なる照射角度で発生するホログラムとなる。従って再生されたホログラムに対して信号光でプリキュアしたときに生成された不要なホログラムは影響を与えず、再生品質を劣化させることがない。このように、再生のための参照光の照射角度と別角度で照射する信号光を、プリキュアのビームとして適用することも可能である。
【００７２】
以上の手順でプリキュア処理、記録処理を実施することで、不要なホログラムは再生品質に影響を与えない角度に記録されるため、情報を記録したホログラムは、不要なホログラムの影響を受けずに、再生時に良好な品質で再生することが可能となる。
【実施例２】
【００７３】
ここで、光情報記録媒体に情報を記録するにあたり、光情報記録媒体への角度を複数回変更しながら情報を多重記録する場合について考える。この際、光情報記録媒体への記録密度を上げるために、情報を記録するために生成されるホログラムの角度間隔を狭くして記録することが想定される。情報を記録する角度間隔が狭い場合は、隣接のホログラムの角度選択性によっては、再生時における角度選択性特性から十分に回折効率が低くなる角度が非常に狭い状況が起こりえる。この場合、干渉性の高いビームでプリキュアすることを想定した場合に、プリキュア時に不要なホログラムが生成されることを鑑み、情報を記録するホログラムの角度から十分離れた角度にプリキュア角度を設定することが困難となり課題となる。
【００７４】
前述の課題を解決するために、本発明ではプリキュア用のビーム照射角度を複数回変更しながら、光情報記録媒体にプリキュアに必要なエネルギを分割して照射する。図９ａに、プリキュア用のビームを所定角度で一定エネルギ照射した場合と、図９ｂにプリキュア用のビームを複数角度に分割して照射した場合の比較を示す。９０１は、θD1〜θD12の複数角度で情報を記録するホログラムを生成することを示しており、ホログラムの角度選択性曲線を表している。参照光角度がθD1、θD2、・・・θD12のとき、回折効率が最大となっている。また、点線で表した９０２は、干渉性の高いビームを利用し、プリキュアに必要なエネルギを光情報記録媒体に照射した際に生成される不要なホログラムの角度選択性を表している。プリキュア時に干渉性の高いビームを利用する場合には、情報を記録するホログラムを生成するための参照光照射角度からずらした角度でビームを照射するため、たとえばθPのように、隣接する情報を記録する角度から最も離れた角度にプリキュア角度を設定する。この際、プリキュア時に生成される不要なホログラムは９０３のような角度選択性を有するため、９０１の特性で情報を記録したホログラムを再生する際に、θD6とθD7に記録されたホログラムの再生品質に対してノイズとして大きな影響を与え、再生品質を大きく劣化させる。
【００７５】
一方で図９ｂでは、図９ａにてプリキュアのために照射したエネルギ量と同一のエネルギを、複数回に分割し入射角度を変えて照射した場合を示す。図９ｂでは、一例としてプリキュア時に干渉性の高いレーザを照射する角度を１２分割した例を示す。入射光と反射光の干渉が複数箇所で発生するため複数角度でホログラムが生成されるが、一つ一つの角度における照射エネルギが分割されて小さくなるため、複数個生成されるホログラムのそれぞれの角度選択性は９０４のような特性になり、角度を固定して生成された不要なホログラムである回折効率９００に対して、９０５のように低い回折効率の不要ホログラムが生成される。図９ｂでは、プリキュア時に干渉性の高いレーザを、情報を記録すべきホログラムを生成するための参照光角度であるθD1〜θD12の全ての角度の中間角度に、エネルギを分割して照射することになり、生成される不要なホログラムの角度選択性曲線は９０６に示したものとなる。不要なホログラムによる影響は、少なからずθD1〜θD12の情報を記録されたホログラムの再生品質に影響を与える可能性はあるが、その影響は各角度における回折効率が小さいことから極めて小さい影響に留めることが可能であり、再生品質としては劣化を無視できる状態にすることが可能である。
【００７６】
このように、プリキュア時に干渉性の高いビームを適用する場合に、情報を記録するための参照光の入射角度から所定角度分離れた複数の入射角度にエネルギを分割して注入することで、高密度多重記録時の再生品質を落とすことなくプリキュアが可能である。さらにその効果は、装置のプリキュア角度または、参照光角度の駆動範囲を増加することなく実現できるため、装置の光学系設計、たとえば信号光を光情報記録媒体に照射する直前の対物レンズ設計や、参照光を光情報記録媒体に照射する直前のレンズ設計及び、参照光ビームの角度変更素子の物理的配置設計を変更することなく対応可能となるメリットもある。
【００７７】
以上の記録シーケンスの一例を図１２にフローチャートとして示す。シーク処理（６１３）で、所望の位置に位置づけた後に、光情報記憶媒体１に参照光を照射する角度に応じた照射エネルギのスケジュールを作成する（１２０１）。スケジュールというのは、複数の照射する角度で参照光を照射するため、照射角度に応じた照射エネルギの関係を決めておくことであり、照射エネルギは、照射時間や照射パワーで規定しても良い。たとえば、各角度に均等にエネルギを照射するということであれば、プリキュアに必要となるエネルギを、照射する角度の数で割った値が、個々の角度で照射する照射エネルギということになる。キュアエネルギスケジュール作成処理後（１２０２）に、複数角度分のキュアの角度を設定（１１０１）しながらキュア処理（１１０３）を実施する。その際、スケジュールした複数角度の全角度が終了したかを監視しておき、キュア最終角度判定処理（１２０２）を実施している。キュア最終角度判定処理（１２０２）で、キュアが終了したことを判断後、データ記録用の記録角度に角度を設定（１１０２）し、データ記録処理（６１５）を実施するシーケンスとなる。
【実施例３】
【００７８】
また、干渉性の高いビームの出射レーザの波長が可変であるレーザを用いる場合には、記録時に照射する際の波長とプリキュア時に照射する波長とを異なる波長に変えることで、プリキュア時に生成された不要なホログラムの影響をさらに受けにくくすることができる。
【００７９】
ホログラムの再生には、記録したホログラムの角度に合わせて参照光を照射し再生像を取得することは前述したが、この際、照射する参照光の波長も同様に重要となる。参照光の波長が再生すべきホログラムに対して適正な波長でない場合は、参照光の角度が適正でない場合と同様に再生像の回折効率が低下する。この特性を利用すると、プリキュア時に照射する干渉性の高いビームの波長を情報を記録する時の参照光の波長とずらした波長とすることで、記録した情報を再生する最適波長と、プリキュア時に生成される不要なホログラムを再生する際の最適波長が異なり、記録した情報を再生する際に、プリキュア時に生成されたホログラムの影響をさらに受けにくくすることが可能となる。
【００８０】
以上の記録シーケンスの一例を図１３にフローチャートとして示す。シーク処理（６１３）で、所望の位置に位置づけた後に、参照光のビーム波長変更処理を実施する（１３０１）。この際変更する波長は、データ記録処理（６１５）で設定する参照光の波長とは異なる波長とする。参照光の波長変更処理は、光源３０１に設けられたビーム波長変更部９３にて行われる。その後、参照光をキュア照射時の角度に設定し（１１０１）、キュア処理（１１０３）を実施する。キュア処理（１１０３）後には、参照光の波長をデータ記録時の波長に変更し（１３０２）、データ記録用の記録角度に照射角度を設定（１１０２）した後、データ記録処理（６１５）を実施するシーケンスとなる。
【００８１】
プリキュアのためのビーム波長変更処理（１３０１）とデータ記録のためのビーム波長変更処理（１３０２）は、一例としてそれぞれ、キュア角度設定処理（１１０１）と記録角度設定処理（１１０２）の前処理としてシーケンス上で表しているが、それぞれキュア処理（１１０３）、データ記録（６１５）の前に実施すればよく、ビーム波長変更処理（１３０１）とキュア角度設定処理（１１０１）処理の順番が入れ替わっても良いし、ビーム波長変更処理（１３０２）と記録角度設定処理（１１０２）の順番が入れ替わっても構わない。
【実施例４】
【００８２】
さらには、干渉性の高いビームの干渉性を低下させることで、生成される不要なホログラムの回折効率を低下させることが可能である。一例としては、通常時に干渉性の高いビームであっても、ビームの発振源であるレーザのモードホップが起こった場合には、シングルモードからマルチモードになりビームが不安定になる。この際干渉性は著しく低下する。ホログラムの生成においてビームの干渉性は重要であり、干渉性が低い場合には回折効率が高いホログラムを生成することが困難となる。
【００８３】
本特性を利用し、本発明ではプリキュア時に干渉性が高いビームを使用する際に、プリキュアのための照射時に一時的に干渉性を低下させる。
【００８４】
一例として、プリキュア時に照射するビームとして記録時に利用する参照光を使用する場合を例に挙げて述べる。
【００８５】
一つ目の方法としては、参照光に高周波を重畳し干渉性を低下させる。本方法は、ビームの発信源であるレーザに、高周波を重畳する機能を持たせ、プリキュア実施前にレーザの高周波重畳機能を有効にし、高周波を重畳した状態でレーザ出力する。これにより参照光は高周波重畳された状態となり干渉性が著しく低下する。この状態の参照光にてプリキュアを実施する。そして、プリキュア後に、プリキュアした領域に情報を記録する際には、レーザの高周波重畳機能を無効にし、レーザの干渉性を元の高い状態に戻し参照光と信号光を照射し、情報をホログラムとして記録する。前述のようにすれば、プリキュア時には、高周波重畳された干渉性が低いビームが照射されるため、プリキュア時にたとえ入射光と反射光とが重なりあっても、回折効率が高いホログラムは生成されない。そのため、記録した情報を再生する際には、プリキュア時に生成された不要なホログラムの影響を受けにくくなる。
【００８６】
また、別の方法としては、プリキュアの前に、レーザのパワーまたは波長を意図的に変動させることでモードホップを発生させ、ビームの干渉性を下げる方法もある。この場合は、予めレーザを使用する環境にてモードホップが発生するようなパワー及び波長の条件を調査しておき、その条件をプリキュアの前にレーザに設定する。プリキュア実施後には、レーザをシングルモードに戻すために、パワー及び波長のレーザ設定値を通常の設定に設定し直せば良い。本方法においても、プリキュア用のビームの干渉性が低下しているため、プリキュア時に生成される不要なホログラムの回折効率が低くなり、記録した情報を再生する際には、プリキュア時に生成された不要なホログラムの影響を受けにくくなる。
【００８７】
以上の記録シーケンスの一例を図１４にフローチャートとして示す。シーク処理（６１３）で、所望の位置に位置づけた後で、光源３０１に設けられている高周波重畳部９４を有効にして（１４０１）、参照光に高周波を重畳する。その後、参照光をキュア照射時の角度に設定し（１１０１）、キュア処理（１１０３）を実施する。キュア処理（１１０３）後には、光源３０１に設けられている高周波重畳部９４を無効にし（１４０１）、ビームの高周波重畳状態を解除する。その後、データ記録用の記録角度に角度を設定（１１０２）した後、データ記録処理（６１５）を実施するシーケンスとなる。
【００８８】
レーザの高周波重畳機能を有効にする処理（１４０１）とデータ記録のためのレーザの高周波重畳機能を無効にする処理（１４０２）は、一例としてそれぞれ、キュア角度設定処理（１１０１）と記録角度設定処理（１１０２）の前処理としてシーケンス上で表しているが、それぞれキュア処理（１１０３）、データ記録（６１５）の前に実施すればよく、レーザの高周波重畳機能を有効にする処理（１４０１）とキュア角度設定処理（１１０１）処理の順番が入れ替わっても良いし、レーザの高周波重畳機能を無効にする処理（１４０２）と記録角度設定処理（１１０２）の順番が入れ替わっても構わない。
【実施例５】
【００８９】
以上のように、干渉性の高いビームを用いて、記録した情報の再生品質を下げることのないようプリキュアを実施する方法について述べてきた。
【００９０】
ここでは、本発明を応用して、プリキュア処理と記録処理を同調させ、記録シーケンスの簡略化を図る方法について述べる。
【００９１】
プリキュア用のビームとして、記録及び再生時に使用する参照光を使用する場合を例に述べる。
【００９２】
通常、ホログラムの記録シーケンスとしては、図６ｂを用い前述したように、情報を記録する前にはプリキュア処理を実施し、その後情報を記録するシーケンスとなる。本発明では、プリキュア時に参照光を適用することが可能であり、これを利用することで連続してホログラムを記録するときに、ホログラムを記録しつつプリキュアの効果を得ることができる。図１０を用いて述べる。
【００９３】
図１０ａは、参照光１００１と信号光１００２を光情報記録媒体１０００に照射して、ホログラムを記録する様子の一例を示している。本実施例では、ホログラムを別の領域に複数記録する例を想定している。すなわち、図２を用いて前述した用語を用いれば、光情報記録媒体に複数のブックを記録する例となる。本実施例においては、参照光を１００１で表し、光情報記録媒体１０００に向けて収束する光を信号光１００２として表している。参照光１００１と、信号光１００２と、が交わる部分が記録されるホログラム１００３となる。本実施例ではブックを記録する領域を、図面右方向に移動して記録するとする。本実施例では、説明をわかりやすくするため、参照光１００１の光束を次回ブックを記録する領域方向に大きく広げている。また、本実施例ではブック内に記録するホログラムの数（図２を用いて前述した用語を用いればページの数）を１つとしている。
【００９４】
まず、最初に記録するホログラム１００３が生成される領域においてプリキュアが実施された条件が整えられているとする。最初のホログラムを記録するためのプリキュアについては、前述してきた参照光１００１によるプリキュアを実施しても良いし、または別のキュア光源を利用してのプリキュアでも構わない。プリキュアが実施された条件にて、図１０ａに示すように参照光１００１と信号光１００２を照射すると光情報記録媒体に最初のホログラム１００３が生成される。この際、参照光１００１はホログラム１００３の図面右側の領域まで照射されており、参照光１００１が照射されている領域に関しては、光情報記録媒体１０００にエネルギが注入されることとなる。前記領域に注入されたエネルギがプリキュアに必要なエネルギ量（光情報記録媒体を反応活性化状態にするエネルギ量）として十分なエネルギ量であれば、既にプリキュアが実施されたことと同等となり、前記領域においては改めてプリキュア処理を実施することなく情報を記録するためのホログラムを生成可能な準備が整う。たとえば、図１０ｂのように次の情報をホログラム１００４の位置に記録するのであれば、図６ｂによれば、参照光１００１と信号光１００２を光情報記録媒体１０００に照射する相対位置を変えるためのシーク処理６１３を実施後にプリキュアを実施し、その後に記録処理を実施するのが従来であるが、本発明においては、シーク処理６１３後に改めてプリキュア処理６１４を実施することなく参照光１００１と信号光１００２を照射することでホログラム１００４記録することが可能となる。同様に、さらに次のホログラムを記録する際も、ホログラム１００４を生成する際に照射した参照光のエネルギによりプリキュア処理と同等の効果が次のホログラム記録領域にて得られているため、プリキュア６１４を省略して連続的に情報をホログラムとして記録することが可能となる。
【００９５】
この際、本処理を実施するためには前述してきたとおりに、情報をホログラムとして記録する参照光照射角度とプリキュア時の参照光照射角度を異なる角度に設定する必要があるため、本発明では、ホログラム１００３を記録する時の参照光照射角度と、ホログラム１００４を記録する時の参照光照射角度を異なる角度で記録する。つまりは、光情報記録媒体１０００に情報を記録する際に、記録するホログラムの参照光角度は、隣接した領域に記録するホログラムの角度と別の角度に設定する。これにより、ホログラム１００３を記録する際に照射された参照光１００１により、次回情報をホログラムとして記録する領域に、プリキュア処理をした効果と同等の効果を与え、さらには参照光によるプリキュアによって生成される不要なホログラムは、次回情報を記録するホログラム１００４の記録角度と別の角度で生成されるため、ホログラム１００４を再生する際において、不要なホログラムがホログラム１００４の再生品質に影響を与えずに再生することが可能であり、ホログラム１００４の再生品質の劣化を回避することができる。
【００９６】
さらには、本実施例では説明の都合上１ブックに対し1ページを記録した場合を例にあげたが、角度多重記録を実施した場合、すなわち1ブックに複数のページを記録する場合においても、隣接するホログラムの記録角度がそれぞれのページで別の角度に設定されていれば、１ページ時と同様の効果が得られるため実現が可能となる。
【００９７】
また、本実施例では参照光１００１の光束を大きくした例を示したが、次回ホログラムを記録する領域をプリキュアできるようであれば、参照光の光束は柔軟に設定できる。
【００９８】
また、ホログラムを記録した時の参照光のエネルギだけではプリキュアに必要なエネルギに達しない場合においては、記録時における1ページ毎の参照光のエネルギを増加させてもよい。その分信号光のエネルギを調整することで、生成されるホログラムの回折効率は調整が可能である。
【００９９】
ホログラムを記録した時の参照光のエネルギだけではプリキュアに必要なエネルギに達しない場合の別の解決方法としては、ホログラム記録時に、情報を記録するページを記録後に、情報を記録するページとは別の角度で且つ次回情報をホログラムとして記録する角度とは別の角度に参照光角度を設定し、その間信号光の光を遮断しておき、次回ホログラムを記録する領域におけるプリキュアに必要なエネルギの不足分のみ参照光を照射する方法もある。
【０１００】
本発明を適用することで、記録処理時の参照光ビームによってプリキュア効果が得られた領域に記録する別のホログラムを、前記ホログラム記録時の参照光ビームの角度と別の角度を設定し記録することで、情報を記録したホログラムの再生品質を劣化させることなく記録再生ができ、且つ記録シーケンスからプリキュア処理を意識的に実施することなく連続的に記録動作を実施することができる。
【０１０１】
以上の記録シーケンスの一例を図１５にフローチャートとして示す。本実施例では、複数のブックを隣接して連続的に記録する例を示しており、最初に所望の位置にデータを記録した後に、場所を移動して再び記録処理を実施するシーケンスとなる。記録用学習処理（６１２）を実施し、記録可能な状態を整えてから、連続ブック記録終了確認処理（１５０１）にて連続記録が終了するまで以下のシーケンスを繰り返す。まずは、シーク処理（６１３）で、所望の位置に位置づけた後で、所望の位置への記録が、プリキュア（６１４）を必要とする初回の記録かどうかを判断する。（１５０２）判断の結果、初回記録であれば、ビームをキュア照射時の角度に設定し（１１０１）、プリキュア（６１４）を実施する。プリキュア（６１４）後には、データ記録用の記録角度に角度を設定（１１０２）した後、データ記録処理（６１５）を実施するシーケンスとなる。その後、再び連続ブック記録終了確認処理（１５０１）にて連続記録終了か否かを確認する。連続記録継続であれば、記録位置を変更するためにシーク処理（６１３）を実施する。本例では、初回記録時の参照光ビームにより次回記録位置のプリキュア効果が得られているため、２回目の記録からは、プリキュアに関連する処理を実施せずに、記録角度設定処理（１１０２）に移行し、データ記録（６１５）を実施する。以降、隣接にブックを記録する連続ブック記録が途切れるまでは、プリキュアに関連する処理を実施せずに記録動作を継続する。連続ブック記録が終了する際には、連続ブック記録終了確認処理（１５０１）からポストキュア（６１６）に移行する記録シーケンスとなる。
【実施例６】
【０１０２】
ここまで、プリキュア処理もしくはプリキュア同等の効果を干渉性の高いビームを照射することで実現し、且つ情報を記録したホログラムの再生品質を劣化させずに再生する方法について述べてきたが、本願の考え方は、ポストキュア処理にも応用可能である。
【０１０３】
ポストキュアは、光情報記録媒体内の所望の位置にホログラムとして情報を記録した後、所望の位置に追記不可能とするために、所定領域のＭ／＃を消費しつくすまで光ビームを照射する後工程である。
【０１０４】
ポストキュア時においても、干渉性の高いビームを使用した場合には、所望の領域のホログラムにビームを照射する角度によっては、ホログラムを再生する原理に近い状態となり、記録したホログラムから回折光が照射される角度が存在する。その場合は、該回折光と入射光とで再び干渉しあい不要なホログラムが生成されノイズ源となる。本課題を回避し、干渉性の高いビームにてポストキュアを実施するためには、前述してきたとおりに、情報を記録したホログラムを再生する角度から離れた角度でビームを照射すれば良い。これにより、プリキュア処理を例にあげて述べてきた内容がポストキュアにおいても同様に活用が可能である。
【０１０５】
以上の記録シーケンスの一例を図１６のフローチャートにて示す。シーク処理（６１３）後に、キュア角度設定（１１０１）データ記録（６１５）にて記録する角度から一定の角度離れた位置にプリキュアの効果を与えるビームが照射されるよう、プリキュア時の照射角度を設定する。その後、照射角度が変更された状態でプリキュア（６１４）を実施し、プリキュア（６１４）後には、データ記録用の記録角度に角度を設定（１１０２）した後、データ記録処理（６１５）を実施する。その後、ポストキュア（６１６）の実施前に、データ記録（６１５）の角度から、ポストキュア時に参照光を照射する角度に設定をする（１６０１）。その後、ポストキュア（６１６）を実施するシーケンスとなる。
【０１０６】
本例は、ポストキュアに関わる記録シーケンスの一例であり、前述したプリキュアに関わる実施例を応用して活用することが可能である。
【０１０７】
以上、キュア用のビームとして、参照光のビームを適用する例について多く述べてきたが、本願においては、前述のようにキュア用ビームとして干渉性の高いビームを適用する方法を述べており、参照光を適用する例はその一例にすぎない。干渉性の高いビームであれば、たとえば信号光のビームであっても本願は適用可能となる。
【０１０８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【０１０９】
１・・・光情報記録媒体、１０・・・光情報記録再生装置、１１・・・ピックアップ、
１２・・・再生用参照光光学系、１３・・・ディスクＣｕｒｅ光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０…入出力制御回路、９１…外部制御装置、９２…ビーム角度制御部
９３…ビーム波長制御部、  ９４…高周波重畳部
３０１・・・光源、３０３・・・シャッタ、３０６・・・信号光、３０７・・・参照光、
３０８・・・ビームエキスパンダ、３０９・・フェーズ（位相）マスク、
３１０・・・リレーレンズ、３１１・・・ＰＢＳプリズム、
３１２・・・空間光変調器、３１３・・・リレーレンズ、３１４・・・空間フィルタ、
３１５・・・対物レンズ、３１６・・・偏光方向変換素子、３２０・・・アクチュエータ、
３２１・・・レンズ、３２２・・・レンズ、３２３・・・アクチュエータ、
３２４・・・ミラー、３２５・・・光検出器
５０１・・・光源、５０２・・・コリメートレンズ、５０３・・・シャッタ、５０４・・・光学素子、
５０５・・・ＰＢＳプリズム、５０６・・・信号光、５０７・・・ＰＢＳプリズム、５０８・・・空間光変調器、
５０９・・・アングルフィルタ、５１０・・・対物レンズ、５１１・・・対物レンズアクチュエータ、
５１２・・・参照光、５１３・・・ミラー、５１４・・・ミラー、５１５・・・レンズ、
５１６・・・ガルバノミラー、５１７・・・アクチュエータ、５１８・・・光検出器、
５１９・・・偏光方向変換素子、５２０・・・駆動方向、５２１・・・光学ブロック
【図１】
2015130215.tif 000003
【図２】
2015130215.tif 000004
【図３】
2015130215.tif 000005
【図４】
2015130215.tif 000006
【図５】
2015130215.tif 000007
【図６ａ】
2015130215.tif 000008
【図６ｂ】
2015130215.tif 000009
【図６ｃ】
2015130215.tif 000010
【図７ａ】
2015130215.tif 000011
【図７ｂ】
2015130215.tif 000012
【図８】
2015130215.tif 000013
【図９ａ】
2015130215.tif 000014
【図９ｂ】
2015130215.tif 000015
【図１０ａ】
2015130215.tif 000016
【図１０ｂ】
2015130215.tif 000017
【図１１】
2015130215.tif 000018
【図１２】
2015130215.tif 000019
【図１３】
2015130215.tif 000020
【図１４】
2015130215.tif 000021
【図１５】
2015130215.tif 000022
【図１６】
2015130215.tif 000023